(57)【要約】【課題】小型化を図る上で有利な光ディスク装置を提供する。【解決手段】メインガイド軸５８Ａは移動ベース５６を光ディスク２の径方向に移動可能に案内する。ガイド軸用支持部６２はメインガイド軸５８Ａを回転可能かつ軸方向に移動不能に支持する。ガイド軸回転用駆動部６４は、ハウジング５４に設けられ、メインガイド軸５８Ａを回転させる。カム６６は、メインガイド軸５８Ａと一体に回転可能に、かつ、メインガイド軸５８Ａの軸方向に移動可能に結合され、さらに、軸方向に移動ベース５６と一体的に移動可能に結合されている。移動機構７０は、カム６６に係合するカムフォロア６８を含みカム６６の回転によるカムフォロア６８の動きを球面収差補正レンズ４６に伝達し球面収差補正レンズ４６を光路Ｌに沿って移動させる。【選択図】図３
2010135007.tif 000002
【特許請求の範囲】
【請求項１】
ハウジングと、
光ディスクを回転駆動する光ディスク回転用駆動部と、
前記光ディスク回転用駆動部によって回転駆動される光ディスクに光ビームを照射することにより前記光ディスクに対する情報信号の記録および／または再生を行う光ピックアップと、
前記光ピックアップが搭載された移動ベースと、
前記ハウジングで支持され前記移動ベースを前記光ディスクの径方向に移動可能に案内するガイド軸と、
前記移動ベースを前記光ディスクの径方向に移動させる移動ベース用駆動部と、
前記移動ベースにおける前記光ビームの光路上に設けられる球面収差補正レンズと、
前記球面収差補正レンズを前記光路に沿って移動させる球面収差補正レンズ用駆動部とを備え、
前記球面収差補正レンズ用駆動部は、
前記ガイド軸と、
前記ハウジングに設けられ前記ガイド軸を回転可能かつ軸方向に移動不能に支持するガイド軸用支持部と、
前記ガイド軸を回転させるガイド軸回転用駆動部と、
前記ガイド軸と一体に回転可能に、かつ、前記ガイド軸の軸方向に移動可能に結合され、さらに、前記軸方向に前記移動ベースと一体的に移動可能に結合されたカムと、
前記カムに係合するカムフォロアを含み前記カムの回転による前記カムフォロアの動きを前記球面収差補正レンズに伝達し前記球面収差補正レンズを前記光路に沿って移動させる移動機構と、
を備える光ディスク装置。
【請求項２】
前記球面収差補正レンズは、レンズホルダで支持され、
前記移動機構は、前記カムフォロアに係合すると共に前記レンズホルダに連結され前記カムの回転による前記カムフォロアの動きにより揺動して前記レンズホルダを前記光路に沿って移動させる揺動レバーを含んで構成されている、
請求項１記載の光ディスク装置。
【請求項３】
前記移動機構は、前記カムフォロアを前記カムに係合する方向に付勢する付勢部材を含んで構成され、
前記付勢部材は、前記レンズホルダと前記移動ベースとの間に設けられている、
請求項２記載の光ディスク装置。
【請求項４】
前記移動ベースに、前記カムの両端面に係合可能な一対の係合板が設けられ、
前記カムと前記移動ベースとの結合は、前記カムの両端面に前記一対の係合板が係合することでなされている、
請求項１記載の光ディスク装置。
【発明の詳細な説明】
【技術分野】
【０００１】
本発明は、光ディスクに信号の記録や再生を行う光ディスク装置に関する。
【背景技術】
【０００２】
近年、光ディスクの記録媒体として、ＣＤ（ＣｏｍｐａｃｔＤｉｓｃ）、ＤＶＤ（ＤｉｇｉｔａｌＶｅｒｓａｔｉｌｅＤｉｓｃ）、ＢＤ（Ｂｌｕ−ｒａｙＤｉｓｃ）の実用化がされている。さらに２層以上の記録層を有する多層光ディスクの実用化が進んでいる。
これらの光ディスクに対して情報信号を記録および／または再生する光ピックアップにおいては、各種光ディスク及び多層の各信号記録層に対して、光ビームを合焦し最良のスポットを生成するために、球面収差量を調整する必要がある。
球面収差を調整する構成として、球面収差補正レンズをモータ等によって移動させることにより最良のスポットの生成を実現させるものが考えられる。
例えば、球面収差補正レンズを移動させる手段として、光ピックアップ内にステッピングモータとリードスクリューとからなる駆動系を配置し、この駆動系を用いて球面収差補正レンズを移動させる技術が提案されている。
しかしながら、上記従来技術では、光ピックアップ内に駆動系を配置する為、光ピックアップが大型化してしまうという欠点があった。
そこで、光ピックアップが搭載される移動ベースを駆動する送りねじにナットを係合し、ナットの移動に連動して球面収差補正レンズを動かす技術が提案されている（特許文献１参照）。
【特許文献１】特開２００６−１４７０５４号公報
【発明の開示】
【発明が解決しようとする課題】
【０００３】
しかしながら、上記従来技術では、送りねじの回転に連動して移動ベースを移動させるか、送りねじの回転に連動して球面収差補正レンズを移動させるかを選択的に規制する複雑なブレーキ機構を光ピックアップ内に設ける必要がある。また、ブレーキ機構を駆動するためのモータなどの駆動源を光ピックアップ内に設ける必要がある。
そのため、光ピックアップの小型化および光ピックアップの移動スペースの縮小を図る上で十分とはいえず、したがって、光ディスク装置の小型化を図る上で不利があった。
本発明はこのような事情に鑑みなされたもので、その目的は小型化を図る上で有利な光ディスク装置を提供することにある。
【課題を解決するための手段】
【０００４】
上記目的を達成するために本発明の光ディスク装置は、ハウジングと、光ディスクを回転駆動する光ディスク回転用駆動部と、前記光ディスク回転用駆動部によって回転駆動される光ディスクに光ビームを照射することにより前記光ディスクに対する情報信号の記録および／または再生を行う光ピックアップと、前記光ピックアップが搭載された移動ベースと、前記ハウジングで支持され前記移動ベースを前記光ディスクの径方向に移動可能に案内するガイド軸と、前記移動ベースを前記光ディスクの径方向に移動させる移動ベース用駆動部と、前記移動ベースにおける前記光ビームの光路上に設けられる球面収差補正レンズと、前記球面収差補正レンズを前記光路に沿って移動させる球面収差補正レンズ用駆動部とを備え、前記球面収差補正レンズ用駆動部は、前記ガイド軸と、前記ハウジングに設けられ前記ガイド軸を回転可能かつ軸方向に移動不能に支持するガイド軸用支持部と、前記ガイド軸を回転させるガイド軸回転用駆動部と、前記ガイド軸と一体に回転可能に、かつ、前記ガイド軸の軸方向に移動可能に結合され、さらに、前記軸方向に前記移動ベースと一体的に移動可能に結合されたカムと、前記カムに係合するカムフォロアを含み前記カムの回転による前記カムフォロアの動きを前記球面収差補正レンズに伝達し前記球面収差補正レンズを前記光路に沿って移動させる移動機構とを備える。
【発明の効果】
【０００５】
本発明によれば、移動ベースおよびガイド軸に結合されたカムをガイド軸と共に回転させることによりカムフォロアを介して球面収差補正レンズを光路に沿って移動させるようにした。
したがって、光ピックアップに、モータなどの駆動源や複雑なブレーキ機構を設ける必要がなく、光ディスク装置の小型化を図る上で有利となる。
【発明を実施するための最良の形態】
【０００６】
（光ディスク装置１０）
次に本発明の実施の形態について説明する。
図１は、本実施の形態の光ディスク装置１０の構成を示すブロック図である。
まず、光ディスク装置１０の制御系について簡単に説明する。
図１に示すように、光ディスク装置１０は、スピンドルモータ１２、光ピックアップ１４、送りモータ１６、ガイド軸回転用モータ６４０２などを含んで構成されている。
また、光ディスク装置１０は、システムコントローラ１８、サーボ制御部２０、信号変復調＆ＥＣＣ２２、信号処理部２４、インターフェース２６、Ｄ／Ａ、Ａ／Ｄ変換器３０、オーディオ・ビジュアル処理部３２、オーディオ・ビジュアル信号入出力部３４、レーザ制御部３６などをさらに備えている。
スピンドルモータ１２は、光ディスク２を回転駆動する光ディスク回転用駆動部を構成するものである。
ここで、スピンドルモータ１２は、システムコントローラ１８およびサーボ制御部２０により所定の回転数で駆動制御される構成になっている。
光ピックアップ１４は、後述する移動ベース５６（図３）に搭載されている。
送りモータ１６は、移動ベース５６を光ディスク２の径方向に移動させる移動ベース用駆動部５９（図３）を構成するものである。
ガイド軸回転用モータ６４０２は、メインガイド軸（図３）を回転させるガイド軸回転用駆動部６４（図３）を構成するものである。
【０００７】
光ピックアップ１４は、システムコントローラ１８およびサーボ制御部２０からの指令に従って回転する光ディスク２の信号記録面に対して光ビームを照射する。このような光照射により光ディスク２に対する情報信号（光信号）の記録および／または再生が行われる。
また、光ピックアップ１４は、光ディスク２の信号記録面からの反射光ビームに基づいて、各種の光ビームを検出し、各光ビームに対応する信号を信号処理部２４に供給できるように構成されている。
信号変復調部およびＥＣＣブロック２２は、信号処理部２４から出力される信号の変調、復調およびＥＣＣ（エラー訂正符号）の付加を行う。
【０００８】
信号処理部２４は、各光ビームに対応する検出信号に基づいてサーボ制御用信号、すなわち、フォーカスエラー信号、トラッキングエラー信号、ＲＦ信号、ランニングＯＰＣ処理に必要なモニタ信号（Ｒ−ＯＰＣ信号）、記録時における光ディスクの回転制御を行うために必要なＡＴＩＰ信号などを生成できるように構成されている。
なお、光ピックアップ１４によるフォーカスエラー信号、トラッキングエラー信号、ＲＦ信号の生成方法として従来公知のさまざまな方法が採用可能である。
また、再生対象とされる記録媒体の種類に応じて、サーボ制御部２０、信号変調部およびＥＣＣブロック２２等により、これらの信号に基づく復調および誤り訂正処理等の所定の処理が行われる。
ここで、信号変調部およびＥＣＣブロック２２により復調された記録信号が、例えばコンピュータのデータストレージ用であれば、インターフェース２６を介して外部コンピュータ２８等に送出される。これにより、外部コンピュータ２８等は光ディスク２に記録された信号を再生信号として受け取ることができるように構成されている。
【０００９】
また、信号変調部およびＥＣＣブロック２２により復調された記録信号がオーディオ・ビジュアル用であれば、Ｄ／Ａ、Ａ／Ｄ変換器３０のＤ／Ａ変換部でデジタル／アナログ変換され、オーディオ・ビジュアル処理部３２に供給される。そして、このオーディオ・ビジュアル処理部３２でオーディオ・ビデオ信号処理が行われ、オーディオ・ビジュアル信号入出力部３４を介して外部の撮像・映写機器に伝送される。
光ピックアップ１４は、移動ベース５６と共に送りモータ１６の回転によって光ディスク２上の所定の記録トラックまで移動されるように構成されている。
サーボ制御部２０は、スピンドルモータ１２、送りモータ１６、ガイド軸回転用モータ６４０２の制御を行う。
また、サーボ制御部２０は、フォーカスエラー信号およびトラッキングエラー信号に基づいて光ピックアップ１４の対物レンズ５０（図２）のフォーカシング方向、トラッキング方向の制御を行い、さらに、ラジアルスキューの制御を行なう。
また、レーザ制御部３６は、光ピックアップ１４の発光素子４０（図２）を制御するものである。
【００１０】
（光ピックアップ１４）
次に光ピックアップ１４について説明する。
図２は光ピックアップ１４の構成を示す説明図である。
図２に示すように、光ピックアップ１４は、発光素子４０、ビームスプリッター４２、コリメータレンズ４４、球面収差補正レンズ４６、立ち上げミラー４８、対物レンズ５０、受光素子５２などを含んで構成されている。
光ピックアップ１４は移動ベース５６（図３）に搭載され、したがって、発光素子４０、ビームスプリッター４２、コリメータレンズ４４、球面収差補正レンズ４６、立ち上げミラー４８、対物レンズ５０、受光素子５２は、移動ベース５６に取り付けられている。
【００１１】
発光素子４０は半導体レーザであり、発光素子４０から光ビーム（レーザ光）が出射される。
ビームスプリッター４２は、発光素子４０から発光された光ビームを分離面４２０２で反射してコリメータレンズ４４へ導き、光ディスク２で反射されたレーザ光の反射光ビームを分離面４２０２を透過させて受光素子５２へ導く。
コリメータレンズ４４は、入射された光ビームを平行光束にする。
ビームスプリッター４２を介してコリメータレンズ４４に入射された光ビームは、平行光束となって立ち上げミラー４８を介して対物レンズ５０に入射される。
【００１２】
球面収差補正レンズ４６は、光ディスク２のカバー層に厚み誤差等がある場合に発生する球面収差を補正するためのレンズである。
球面収差補正レンズ４６は、移動ベース５６（図３）における光ビームの光路Ｌ上に設けられ、光路Ｌに沿って移動されることにより球面収差が補正される。
【００１３】
立ち上げミラー４８は、発光素子４０から出射された光ビームを反射して対物レンズ５０に導くものであり、また、光ディスク２で反射された反射光ビームをコリメータレンズ４４へ導くものである。
対物レンズ５０は入射された光ビームを光ディスク２の記録面上に集光させ、また、光ディスク２で反射された反射光ビームを立ち上げミラー４８へ導くものである。
【００１４】
したがって、発光素子４０から出射された光ビームは、分離面４２０２で反射されてコリメータレンズ４４によって平行光束とされ、球面収差補正レンズ４６を通り立ち上げミラー４８で立ち上げられて対物レンズ５０により光ディスク２の記録面に照射される。
また、光ディスク２の記録面で照射された光ビームは、光ディスク２の記録面で反射されて反射光ビームとなる。反射光ビームは、対物レンズ５０、立ち上げミラー４８、球面収差補正レンズ４６、コリメータレンズ４４を介して分離面４２０２を透過され受光素子５２に入射される。
このようにして光ディスク２の記録面に光ビームが照射されることにより光ディスク２に対する情報信号の記録が行われる。
また、受光素子５２に反射光ビームが入射されることによりＲＦ信号等の各信号が検出され光ディスク２に対する情報信号の再生が行われる。
【００１５】
次に、本発明の要部について詳細に説明する。
図３は光ディスク装置１０の下面図、図４は図３のＡ矢視図である。
図５（Ａ）はメインガイド軸５８Ａおよびガイド軸回転用駆動部６４の平面図、（Ｂ）は（Ａ）のＢ矢視図、（Ｃ）は（Ａ）のＣ矢視図、（Ｄ）は（Ａ）のＤ矢視図である。
図６乃至図９はカム６６とカムフォロア６８の動作説明図、図１０は移動ベース５６が光ディスク２の外周側に位置した状態を示す説明図、図１１は移動ベース５６が光ディスク２の内周側に位置した状態を示す説明図である。
図１２は、カム６６、カムフォロア６８、球面収差補正レンズ４６の動作説明図である。
【００１６】
光ディスク装置１０は、図３に示すように、ハウジング５４と、移動ベース５６と、メインガイド軸５８Ａと、サブガイド軸５８Ｂと、移動ベース用駆動部５９と、本発明の球面収差補正レンズ用駆動部６０をさらに備えている。
球面収差補正レンズ用駆動部６０は、図３に示すように、メインガイド軸５８Ａと、ガイド軸用支持部６２と、ガイド軸回転用駆動部６４と、カム６６と、移動機構７０とを含んで構成されている。
ハウジング５４は、光ディスク装置１０の筐体（不図示）の下面に沿って延在する板状を呈し、図３は、ハウジング５４を筐体の下方から透視した状態を示している。
なお、図３、図１０、図１１において符号２Ａは、スピンドルモータ１２のターンテーブル（不図示）に取着された光ディスク２のセンターホール（ディスクセンター）を示す。
【００１７】
図３に示すように、移動ベース５６はハウジング５４上に配置されている。
メインガイド軸５８Ａ、サブガイド軸５８Ｂは、互いに間隔をおいて光ディスク２の径方向と平行して設けられている。
メインガイド軸５８Ａは、ハウジング５４で支持され移動ベース５６を光ディスク２の径方向に移動可能に案内するものであり、本発明のガイド軸に相当している。
ガイド軸用支持部６２は、ハウジング５４に設けられ、メインガイド軸５８Ａを回転可能かつ軸方向に移動不能に支持している。
本実施の形態では、図５（Ａ）乃至（Ｄ）に示すように、ガイド軸用支持部６２は、メインガイド軸５８Ａの両端近傍箇所を支持する２つのスリーブ６２０２によって構成されている。各スリーブ６２０２は図示しない取り付け部材を介してハウジング５４に取着されている。
また、移動ベース５６には２つの軸受け部６１が互いに間隔をおいて設けられ、メインガイド軸５８Ａが各軸受け部６１に挿通されることで移動ベース５６が光ディスク２の径方向に移動可能に案内される。
図４に示すように、メインガイド軸５８Ａの外周面の一部はメインガイド軸５８Ａの中心軸と平行する平面で切り取られ、したがって、メインガイド軸５８ＡはＤカットされている。
【００１８】
サブガイド軸５８Ｂは、ハウジング５４で支持され移動ベース５６の回転を阻止するものである。
より詳細には、移動ベース５６には１つの係合部６４が設けられ、係合部６４がサブガイド軸５８Ｂに係合されることで移動ベース５６が光ディスク２の径方向にがたつくことなく移動可能に案内される。
【００１９】
移動ベース用駆動部５９は、移動ベース５６を光ディスク２の径方向に移動させるものである。
本実施の形態では、移動ベース用駆動部５９は、図３に示すように、前記の送りモータ１６と、送りモータ１６によって回転駆動される送りねじ５９０２と、移動ベース５６に設けられ送りねじ５９０２に螺合された雌ねじ部５９０４とを有している。
したがって、送りモータ１６が正転、逆転して送りねじ５９０２が回転することにより雌ねじ部５９０４を介して移動ベース５６が光ディスク２の径方向に移動する。
【００２０】
図３、図５（Ａ）乃至（Ｄ）に示すように、ガイド軸回転用駆動部６４は、ハウジング５４に設けられ、メインガイド軸５８Ａを回転させるものである。
本実施の形態では、ガイド軸回転用駆動部６４は、ガイド軸回転用モータ６４０２と、ガイド軸回転用モータ６４０２の駆動軸に設けられた第１ギア６４０４と、メインガイド軸５８Ａに設けられ第１ギア６４０４と噛合する第２ギア６４０６とで構成されている。
したがって、ガイド軸回転用モータ６４０２が正転、逆転すると、第１ギア６４０４、第２ギア６４０６を介してメインガイド軸５８Ａが正転、逆転される。
なお、図５において符号６４１０はガイド軸回転用モータ６４０２をハウジング５４に取り付ける取り付け部材を示す。
【００２１】
図１０、図１１に示すように、カム６６は、メインガイド軸５８Ａと一体に回転可能に、かつ、メインガイド軸５８Ａの軸方向に移動可能に結合され、さらに、軸方向に移動ベース５６と一体的に移動可能に結合されている。
より詳細には、図４に示すように、カム６６はカム面６６０２と挿通孔６６０４を有している。
カム６６は、挿通孔６６０４にメインガイド軸５８Ａが挿通され、これによりカム６６は、メインガイド軸５８Ａと一体に回転可能に、かつ、メインガイド軸５８Ａの軸方向に移動可能に結合される。
また、図１０に示すように、移動ベース５６に、カム６６の両端面に係合可能な一対の係合板５６２０が２つ設けられ、これにより、カム６６は、メインガイド軸５８Ａの軸方向に移動ベース５６と一体的に移動するように移動ベース５６に結合されている。
【００２２】
図３に示すように、移動機構７０は、カム６６に係合するカムフォロア６８を含みカム６６の回転によるカムフォロア６８の動きを球面収差補正レンズ４６に伝達し球面収差補正レンズ４６を光路Ｌに沿って移動させるものである。
本実施の形態では、移動機構７０は、カムロフォロア６８に加え、揺動レバー７２と、レンズホルダ７４と、メインガイド軸７６と、サブガイド軸７８と、付勢部材８０などを含んで構成されている。
【００２３】
カムフォロア６８は、移動ベース５６に設けられカム６６のカム面６６０２に係合するものである。
図４、図１０に示すように、カムフォロア６８は、スライド板部６８０２と、ガイド溝６８０４と、カム係合板部６８０６と、レバー係合板部６８０８とを有している。
スライド板部６８０２は、ほぼ長方形の板状を呈している。
ガイド溝６８０４は、スライド板部６８０２の幅方向の中央で長手方向に直線状に延在形成されている。
カム係合板部６８０６は、スライド板部６８０２の一方の短辺から屈曲されカム６６のカム面６６０２に係合可能に設けられている。
レバー係合板部６８０８は、スライド板部６８０２の他方の短辺から屈曲され後述する揺動レバー７２（図１０）に係合可能に設けられている。
図４に示すように、スライド板部６８０２は、移動ベース５６に設けられたガイド面５６１０に当て付けられると共に、ガイド溝６８０４にガイド面５６１０から突設された２つのガイドピン５６１２が挿通されている。
したがって、カムフォロア６８は、ガイド溝６８０４に沿って直線移動可能に支持されている。
【００２４】
図１０、図１１に示すように、揺動レバー７２は、その基端が支軸７２０２を介して移動ベース５６に揺動可能に連結されている。
揺動レバー７２の延在方向の中間部には、レバー係合板部６８０８に係合する係合凸部７２０４が揺動レバー７２の延在方向と直交する方向に突設されている。
したがって、カム６６の回転によるカムフォロア６８の動きにより揺動レバー７２は支軸７２０２を中心として揺動する。
揺動レバー７２の先端には、レンズホルダ７４の係合ピン７４１０に係合する係合溝７２０６が形成されている。
【００２５】
図１０、図１１に示すように、レンズホルダ７４は、球面収差補正レンズ４６を保持するものであり、２つの軸受け部７４０２、７４０４を有している。
一方の軸受け部７４０２には係合ピン７４１０が突設されている。
【００２６】
図１０、図１１に示すように、メインガイド軸７６とサブガイド軸７８は、互いに間隔をおいて光路Ｌと平行に延在しており、それらの両端は、移動ベース５６に取着されている。
メインガイド軸７６とサブガイド軸７８は、レンズホルダ７４の軸受け部７４０２、７４０４に挿通され、これにより、レンズホルダ７４は光路Ｌに沿って（球面収差補正レンズ４６の光軸に沿って）移動可能に支持される。
したがって、揺動レバー７２の揺動によりレンズホルダ７４は光路Ｌに沿って移動される。
【００２７】
図１０、図１１に示すように、付勢部材８０は、レンズホルダ７４を、光路Ｌ方向の一方（本実施の形態では対物レンズ５０に近接する方向）に付勢するものである。
本実施の形態では、付勢部材８０は、サブガイド軸７８の外周に巻回された圧縮コイルばねで構成されている。
付勢部材８０の付勢力がレンズホルダ７４と揺動レバー７２を介してカムフォロア６８に伝達されることにより、図４に示すように、カム係合板部６８０６はカム面６６０２に常時当て付けられた状態に付勢される。
したがって、図６乃至図９に示すように、カム６６が回転すると、カムフォロア６８がカム面６６０２に追従して動き、このカムフォロア６８の動きが揺動レバー７２を介してレンズホルダ７４に伝達され、これにより、球面収差補正レンズ４６が光路Ｌに沿って移動される。
【００２８】
次に動作について説明する。
図１０、図１１に示すように、移動ベース用駆動部５９により移動ベース５６は、光ディスク２の径方向に沿って移動される。
図１２に実線および二点鎖線で示すように、カム６６は移動ベース５６と一体的に移動する。
図６乃至図９に示すように、ガイド軸回転用駆動部６４によりメインガイド軸５８Ａが回転されるとカム６６が回転される。
カム６６の回転に追従してカムフォロア６８が動き、カムフォロア６８の動きに追従して揺動レバー７２が揺動され、揺動レバー７２の揺動に追従してレンズホルダ７４が移動され、これにより球面収差補正レンズ４６が光路Ｌに沿って移動される。
したがって、サーボ制御部２０によりガイド軸回転用モータ６４０２の回転量が制御されることで、球面収差補正レンズ４６の光路Ｌに沿った移動量が制御され球面収差が補正される。
【００２９】
以上説明したように、本実施の形態によれば、移動ベース５６およびメインガイド軸５８Ａに結合されたカム６６をメインガイド軸５８Ａと共に回転させることにより、カムフォロア６８を介して球面収差補正レンズ４６を光路Ｌに沿って移動させるようにした。
したがって、従来技術のように、球面収差補正レンズ４６を移動させるためのモータなどの駆動源を光ピックアップ１４（移動ベース５６）に設ける必要が無い。
また、従来技術のように、光ピックアップを移動させる送りねじの回転に連動して移動ベースを移動させるか、送りねじの回転に連動して球面収差補正レンズを移動させるかを選択的に規制する複雑なブレーキ機構が必要ない。
そのため、移動ベース５６すなわち光ピックアップ１４に、モータなどの駆動源やブレーキ機構を設ける必要がなく光ピックアップ１４の簡素化を図ることができる。
したがって、光ピックアップ１４の小型化および光ピックアップ１４の移動スペースの縮小を図る上で極めて有利となり、光ディスク装置１０の小型化を図る上で有利となる。
また、光ピックアップ１４にモータなどの駆動源やブレーキ機構を設ける必要がないため、光ピックアップ１４の設計の自由度を図る上でも有利となる。
【図面の簡単な説明】
【００３０】
【図１】本実施の形態の光ディスク装置１０の構成を示すブロック図である。
【図２】光ピックアップ１４の構成を示す説明図である。
【図３】光ディスク装置１０の下面図である。
【図４】図４は図３のＡ矢視図である。
【図５】（Ａ）はメインガイド軸５８Ａおよびガイド軸回転用駆動部６４の平面図、（Ｂ）は（Ａ）のＢ矢視図、（Ｃ）は（Ａ）のＣ矢視図、（Ｄ）は（Ａ）のＤ矢視図である。
【図６】カム６６とカムフォロア６８の動作説明図である。
【図７】カム６６とカムフォロア６８の動作説明図である。
【図８】カム６６とカムフォロア６８の動作説明図である。
【図９】カム６６とカムフォロア６８の動作説明図である。
【図１０】移動ベース５６が光ディスク２の外周側に位置した状態を示す説明図である。
【図１１】移動ベース５６が光ディスク２の内周側に位置した状態を示す説明図である。
【図１２】カム６６、カムフォロア６８、球面収差補正レンズ４６の動作説明図である。
【符号の説明】
【００３１】
１０……光ディスク装置、１２……スピンドルモータ、１４……光ピックアップ、４６……球面収差補正レンズ、５４……ハウジング、５６……移動ベース、５８Ａ……メインガイド軸、５９……移動ベース用駆動部、６０……球面収差補正レンズ用駆動部、６２……ガイド軸用支持部、６４……ガイド軸回転用駆動部、６６……カム、６８……カムフォロア、７０……移動機構。
【図１】
2010135007.tif 000003
【図２】
2010135007.tif 000004
【図３】
2010135007.tif 000005
【図４】
2010135007.tif 000006
【図５】
2010135007.tif 000007
【図６】
2010135007.tif 000008
【図７】
2010135007.tif 000009
【図８】
2010135007.tif 000010
【図９】
2010135007.tif 000011
【図１０】
2010135007.tif 000012
【図１１】
2010135007.tif 000013
【図１２】
2010135007.tif 000014